(57)【特許請求の範囲】
【請求項１】
半導体発光素子を有する光源回路が接続される光源接続端子と、
直流電源が接続される電源接続端子と、
前記光源接続端子と前記電源接続端子との間に電気的に接続されたスイッチング素子と、
前記光源回路の調光レベルを設定する複数種類の調光信号にそれぞれ対応して設けられた複数の信号入力端子と、
前記複数の信号入力端子に入力された２以上の調光信号から調光制御に使用する調光信号を選択する信号選択回路と、
前記信号選択回路が選択した前記調光信号の表す調光レベルに応じたデューティ比で前記スイッチング素子をスイッチングすることによって、前記直流電源から出力される直流電圧を矩形波電圧に変換して前記光源回路に出力する制御回路とを備え、
前記調光信号は、当該調光信号の大きさが最小の場合に前記光源回路の調光レベルを最大に設定するような信号であって、
前記信号選択回路は、前記２以上の調光信号から調光レベルがより小さい調光信号を選択するように構成された
ことを特徴とする調光制御装置。
【請求項２】
半導体発光素子を有する光源回路が接続される光源接続端子と、
直流電源が接続される電源接続端子と、
前記光源接続端子と前記電源接続端子との間に電気的に接続されたスイッチング素子と、
前記光源回路の調光レベルを設定する複数種類の調光信号にそれぞれ対応して設けられた複数の信号入力端子と、
前記複数の信号入力端子に入力された２以上の調光信号から調光制御に使用する調光信号を選択する信号選択回路と、
前記信号選択回路が選択した前記調光信号の表す調光レベルに応じたデューティ比で前記スイッチング素子をスイッチングすることによって、前記直流電源から出力される直流電圧を矩形波電圧に変換して前記光源回路に出力する制御回路とを備え、
前記調光信号は、当該調光信号の大きさが最大の場合に前記光源回路の調光レベルを最大に設定するような信号であって、
前記信号選択回路は、前記２以上の調光信号から調光レベルがより大きい調光信号を選択するように構成されたことを特徴とする調光制御装置。
【請求項３】
前記スイッチング素子は、前記光源回路と、前記半導体発光素子を点灯可能な電圧値の前記直流電圧を出力するように構成された前記直流電源との間に電気的に接続されていることを特徴とする請求項１又は２に記載の調光制御装置。
【請求項４】
前記スイッチング素子と前記複数の信号入力端子と前記信号選択回路と前記制御回路とが実装されている回路基板を、更に備え、
前記複数の信号入力端子は前記回路基板の端部に配置されている
ことを特徴とする請求項１〜３のいずれか１項に記載の調光制御装置。
【請求項５】
前記複数種類の調光信号の少なくとも１つは、前記光源回路の調光レベルに応じて大きさが連続的に変化するような信号である
ことを特徴とする請求項１〜４のいずれか１項に記載の調光制御装置。
【請求項６】
請求項１〜５の何れか１項に記載の調光制御装置と、
前記半導体発光素子を有する前記光源回路と、
を備えたことを特徴とする照明システム。
【請求項７】
請求項１〜５の何れか１項に記載の調光制御装置と、
前記半導体発光素子を有する前記光源回路と、
前記光源回路及び前記調光制御装置を保持する設備機器本体と、
を備えたことを特徴とする設備機器。
【発明の詳細な説明】
【技術分野】
【０００１】
本発明は、調光制御装置、照明システム、及び設備機器に関する。
【背景技術】
【０００２】
従来、ＬＥＤモジュールと、ＬＥＤモジュールに電流を供給して点灯させる電源装置とを備えて、ＬＥＤモジュールの明るさと色温度とを調整可能にしたＬＥＤ電源装置があった（例えば特許文献１参照）。ＬＥＤモジュールは、第１色の光を発する第１発光部と、第２色の光を発する第２発光部とを備えている。電源装置は、出力定電流回路と、色温度制御回路と、制御回路とを備える。制御回路には、外部の調光器から、ＰＷＭ（Pulse Width Modulation）のデューティ比によって明るさの情報を示す調光信号と、ＰＷＭのデューティ比によって色温度の情報を示す色温度信号とが入力されている。制御回路は、調光信号に基づいて出力定電流回路から出力される電流を制御することによって、ＬＥＤモジュールの明るさを調整している。また、制御回路は、色温度信号に基づいて、第１発光部が点滅する周期と、第２発光部が点滅する周期とを制御することによって、ＬＥＤモジュールの全体から発せられる光の色温度を調整している。
【先行技術文献】
【特許文献】
【０００３】
【特許文献１】特開２０１２−２２６９２４号公報
【発明の概要】
【発明が解決しようとする課題】
【０００４】
特許文献１に記載されたＬＥＤ電源装置には、ＰＷＭのデューティ比によって明るさの情報を示す調光信号が入力されているが、ＰＷＭ信号以外の信号からなる調光信号を出力する調光器には対応できなかった。
【０００５】
本発明は上記課題に鑑みてなされ、複数種類の調光信号に対応できる調光制御装置、照明システム、及び設備機器を提供することを目的とする。
【課題を解決するための手段】
【０００６】
本発明に係る一態様の調光制御装置は、半導体発光素子を有する光源回路が接続される光源接続端子と、直流電源が接続される電源接続端子と、前記光源接続端子と前記電源接続端子との間に電気的に接続されたスイッチング素子と、前記光源回路の調光レベルを設定する複数種類の調光信号にそれぞれ対応して設けられた複数の信号入力端子と、前記複数の信号入力端子に入力された２以上の調光信号から調光制御に使用する調光信号を選択する信号選択回路と、前記信号選択回路が選択した前記調光信号の表す調光レベルに応じたデューティ比で前記スイッチング素子をスイッチングすることによって、前記直流電源から出力される直流電圧を矩形波電圧に変換して前記光源回路に出力する制御回路とを備え、前記調光信号は、当該調光信号の大きさが最小の場合に前記光源回路の調光レベルを最大に設定するような信号であって、前記信号選択回路は、前記２以上の調光信号から調光レベルがより小さい調光信号を選択するように構成されたことを特徴とする。
【０００７】
本発明に係る一態様の調光制御装置は、半導体発光素子を有する光源回路が接続される光源接続端子と、直流電源が接続される電源接続端子と、前記光源接続端子と前記電源接続端子との間に電気的に接続されたスイッチング素子と、前記光源回路の調光レベルを設定する複数種類の調光信号にそれぞれ対応して設けられた複数の信号入力端子と、前記複数の信号入力端子に入力された２以上の調光信号から調光制御に使用する調光信号を選択する信号選択回路と、前記信号選択回路が選択した前記調光信号の表す調光レベルに応じたデューティ比で前記スイッチング素子をスイッチングすることによって、前記直流電源から出力される直流電圧を矩形波電圧に変換して前記光源回路に出力する制御回路とを備え、前記調光信号は、当該調光信号の大きさが最大の場合に前記光源回路の調光レベルを最大に設定するような信号であって、前記信号選択回路は、前記２以上の調光信号から調光レベルがより大きい調光信号を選択するように構成されたことを特徴とする。
【０００８】
本発明に係る一態様の照明システムは、上記の調光制御装置と、前記半導体発光素子を有する前記光源回路と、を備えたことを特徴とする。
【０００９】
本発明に係る一態様の設備機器は、上記の調光制御装置と、前記半導体発光素子を有する前記光源回路と、前記光源回路及び前記調光制御装置を保持する設備機器本体と、を備えたことを特徴とする。
【発明の効果】
【００１０】
本発明の調光制御装置によれば、複数種類の調光信号に対応できる。
【００１１】
本発明の照明システムによれば、複数種類の調光信号に対応できる。
【００１２】
本発明の設備機器によれば、複数種類の調光信号に対応できる。
【図面の簡単な説明】
【００１３】
【図１】実施形態１の照明システムの回路図である。
【図２】実施形態１の照明システムの概略構成図である。
【図３】実施形態１の調光制御装置が備える信号選択回路の回路図である。
【図４】図４Ａは、調光信号Ｓ１のデューティ比と調光出力との関係を示すグラフである。図４Ｂは、調光信号Ｓ２の電圧レベルと調光出力との関係を示すグラフである。
【図５】図５Ａは、調光信号Ｓ１及びＳ２の時間変化を示すグラフであり、図５Ｂは、調光出力の時間変化を示すグラフである。
【図６】実施形態１の調光制御装置の外観斜視図である。
【図７】実施形態１の調光制御装置の分解斜視図である。
【図８】実施形態１の調光制御装置が備える回路基板の平面図である。
【図９】実施形態２の調光制御装置が備える信号選択回路の回路図である。
【図１０】図１０Ａは、調光信号Ｓ１のデューティ比と調光出力との関係を示すグラフである。図１０Ｂは、調光信号Ｓ２の電圧レベルと調光出力との関係を示すグラフである。
【図１１】図１１Ａは、調光信号Ｓ１及びＳ２の時間変化を示すグラフであり、図１１Ｂは、調光出力の時間変化を示すグラフである。
【図１２】図１２Ａは、実施形態３の設備機器である冷蔵ショーケースの外観斜視図であり、図１２Ｂは、実施形態３の設備機器である自動販売機の外観斜視図である。
【発明を実施するための形態】
【００１４】
本実施形態は、調光制御装置、照明システム、及び設備機器に関し、特に、半導体発光素子を調光点灯する調光制御装置、照明システム、及び設備機器に関する。
【００１５】
（実施形態１）
以下、実施形態１に係る調光制御装置及び照明システムを図面に基づいて説明する。
【００１６】
（１．１）照明システムの構成
図１は照明システムの回路図であり、図２は照明システムの概略構成図である。
【００１７】
本実施形態の照明システムは、直流電源１と、調光制御装置２と、光源回路３とを備えている。本実施形態の照明システムでは、直流電源１と光源回路３との間に調光制御装置２が接続されている。調光制御装置２は電線Ｗ１を介して光源回路３に接続され、電線Ｗ２を介して直流電源１に接続されている。また、調光制御装置２は、電線Ｗ３を介して調光器に接続され、電線Ｗ４を介してリレーに接続される。
【００１８】
直流電源１は、商用交流電源（例えばＡＣ１００〜２４２Ｖ）のような交流電源１００から入力される交流電圧を、一定の直流電圧に変換して出力する。直流電源１は一般的なスイッチング電源である。直流電源１は、光源回路３を点灯可能な電圧値（例えばＤＣ２４Ｖ）の直流電圧を出力する。
【００１９】
光源回路３は、半導体発光素子である７個の発光ダイオード３１１〜３１７と、発光ダイオード３１１〜３１７に流れる電流を一定に制御する定電流回路３２と、逆流防止用のダイオード３３とを備える。定電流回路３２は、ｎｐｎ型のトランジスタ３２１及び３２２と、抵抗器３２３〜３２６とを備える。なお、光源回路３は、半導体発光素子として発光ダイオード３１１〜３１７を備えているが、発光ダイオード３１１〜３１７の代わりに有機ＥＬ（Electro Luminescence）素子などを備えてもよい。
【００２０】
光源回路３は、一対の接続端子３０１及び３０２を備える。正極側の接続端子３０１にはダイオード３３のアノードが接続される。ダイオード３３のカソードには抵抗器３２３を介してトランジスタ３２１のコレクタが接続されている。トランジスタ３２１のエミッタは負極側の接続端子３０２に接続されている。トランジスタ３２１のコレクタは抵抗器３２４を介してトランジスタ３２２のベースに接続されており、トランジスタ３２２のエミッタはトランジスタ３２１のベースに接続されている。トランジスタ３２２のエミッタと、トランジスタ３２１のエミッタとの間には、抵抗器３２５及び３２６の並列回路が接続されている。そして、ダイオード３３のカソードと、トランジスタ３２２のコレクタとの間には、電流が流れる向きがダイオード３３と同じになるように、７個の発光ダイオード３１１〜３１７が直列に接続されている。
【００２１】
調光制御装置２は、スイッチング素子２１と、抵抗器２２、２３及び２９と、制御回路２４と、信号選択回路２５と、電源回路２８とを備えている。制御回路２４は、ＰＷＭ変調回路２６と、ドライブ回路２７とを備えている。
【００２２】
また、調光制御装置２は、直流電源１が接続される電源接続端子２１０と、光源回路３が接続される光源接続端子２２０と、異なる種類の調光信号が入力される２組の信号入力端子２３０及び２４０を備えている。電源接続端子２１０は一対の接続端子２１１及び２１２を有し、接続端子２１１は直流電源１の正極側の出力端子に接続され、接続端子２１２は直流電源１の負極側の出力端子に接続されている。光源接続端子２２０は一対の接続端子２２１及び２２２を有し、正極側の接続端子２２１は光源回路３の接続端子３０１に接続され、負極側の接続端子２２２は光源回路３の接続端子３０２に接続されている。信号入力端子２３０には例えば調光器４が接続され、信号入力端子２４０には例えばリレー５が接続される。信号入力端子２３０には調光器４から調光レベルに応じたデューティ比のＰＷＭ信号（調光信号Ｓ１）が入力される。信号入力端子２４０には、リレー５のオン／オフに応じて電圧レベルが２段階に切り替わる電圧信号（調光信号Ｓ２）が入力される。
【００２３】
接続端子２１１と接続端子２２１とは抵抗器２９を介して電気的に接続されている。
【００２４】
接続端子２２２には、例えばＭＯＳＦＥＴ（Metal Oxide Semiconductor Field Effect Transistor）のようなスイッチング素子２１のドレインが接続されている。スイッチング素子２１のソースは接続端子２１２に接続されており、スイッチング素子２１のゲート−ソース間には抵抗器２３が接続されている。なお、スイッチング素子２１はＭＯＳＦＥＴに限定されず、接合型のＦＥＴでもよいし、ＩＧＢＴ（Insulated Gate Bipolar Transistor）などのバイポーラトランジスタでもよい。
【００２５】
信号選択回路２５には、調光器４からの調光信号Ｓ１が信号入力端子２３０を介して入力され、リレー５からの調光信号Ｓ２が信号入力端子２４０を介して入力される。
【００２６】
次に、信号選択回路２５の回路構成を図３の回路図に基いて説明する。なお、図３に示す信号選択回路２５の回路構成は一例であり、信号選択回路２５は図３の回路構成に限定されない。
【００２７】
信号選択回路２５は、第１変換回路４０と、第２変換回路５０と、下限設定回路６０と、上限設定用のツェナーダイオード７０とを備えている。
【００２８】
第１変換回路４０は、抵抗器４１とコンデンサ４２とで構成される積分回路であり、信号入力端子２３０から入力される調光信号Ｓ１を平滑し、調光信号Ｓ１のデューティ比に応じた電圧値の直流電圧を出力する。第１変換回路４０の出力端は、信号選択回路２５の出力端Ｐ１に接続されている。
【００２９】
ここにおいて、調光信号Ｓ１は、光源回路３の調光レベルの設定値に応じたデューティ比のＰＷＭ信号である。本実施形態の調光信号Ｓ１は、調光信号Ｓ１の大きさ（デューティ比）が最小の場合に調光レベルの設定値を最大にするような信号となっている。図４Ａは調光信号Ｓ１のデューティ比と調光レベル（調光出力）の設定値との関係を示すグラフであり、調光信号Ｓ１のデューティ比に比例して調光レベルの設定値が低下する。したがって、調光信号Ｓ１のデューティ比が大きくなるにつれて、調光レベルの設定値が減少し、調光度合いが深くなる。図４Ａの例では、調光信号Ｓ１のデューティ比に対して調光レベルの設定値が線形に変化しているが、デューティ比が大きくなるにつれて調光レベルの設定値が小さくなるのであれば、調光信号Ｓ１のデューティ比に対して調光レベルの設定値が非線形に変化してもよい。なお、調光信号Ｓ１の下限値は下限設定回路６０によって下限値Ｌminに設定され、調光信号Ｓ１の上限値はツェナーダイオード７０によって１００％に制限される（図４Ａ参照）。
【００３０】
第１変換回路４０を構成する積分回路のカットオフ周波数は、ＰＷＭ信号である調光信号Ｓ１の周波数に比べて十分低い周波数に設定されている。したがって、ＰＷＭ信号である調光信号Ｓ１が第１変換回路４０に入力されると、第１変換回路４０からは、調光信号Ｓ１のデューティ比に応じた電圧値の直流電圧Ｖ１が出力される。
【００３１】
第２変換回路５０は、例えばｎｐｎ型のトランジスタ５１と、抵抗器５２〜５４と、オペアンプ５５と、ダイオード５６とを備えている。オペアンプ５５の非反転入力端子は、分圧回路を構成する抵抗器５３及び５４の接続点に接続されている。抵抗器５３及び５４からなる分圧回路の高圧側の端子には、電源回路２８から一定の直流電圧Ｖccが印加されている。抵抗器５３及び５４からなる分圧回路の低圧側の端子はトランジスタ５１のコレクタに接続され、トランジスタ５１のエミッタは信号選択回路２５のグランドに接続されている。トランジスタ５１のベースは抵抗器５２を介して信号入力端子２４０に接続されている。オペアンプ５５の出力端子にはダイオード５６のカソードが接続され、オペアンプ５５の反転入力端子はダイオード５６のアノードに接続されている。ダイオード５６のアノードは、信号選択回路２５の出力端Ｐ１に接続されている。ダイオード５６は、オペアンプ５５の出力端子と出力端Ｐ１との間に、出力端Ｐ１からオペアンプ５５の出力端子に電流を流す向きに接続されている。したがって、第１変換回路４０の出力電圧Ｖ１の電圧値が、オペアンプ５５の出力電圧Ｖ２の電圧値以上になると、出力端Ｐ１の電圧値をオペアンプ５５の出力電圧Ｖ２の電圧値にクランプするように第２変換回路５０は動作する。
【００３２】
ここにおいて、信号入力端子２４０に入力される調光信号Ｓ２は、リレー５のオン／オフに応じて電圧レベルが２段階に切り替わるような電圧信号である。本実施形態の調光信号Ｓ２は、調光信号Ｓ２の大きさ（電圧レベル）が最小の場合に光源回路３の調光レベルの設定値を最大にするような信号となる。図４Ｂは調光信号Ｓ２の電圧レベルと調光レベル（調光出力）との関係を示すグラフである。調光信号Ｓ２の電圧レベルが閾値Ｖth1未満であれば調光レベルの設定値は１００（％）となり、調光信号Ｓ２の電圧レベルが閾値Ｖth1以上であれば調光レベルの設定値はＬ１（％）となる。本実施形態では、リレー５がオンになると、調光信号Ｓ２の電圧レベルが電圧ＶＳ１（＜Ｖth1）になり、第２変換回路５０が有するオペアンプ５５の出力電圧Ｖ２は、調光レベルの設定値を１００％とするような電圧値になる。なお、光源回路３が１００％の調光レベルで点灯する状態を全点灯状態という。また、リレー５がオフになると、調光信号Ｓ２の電圧レベルが電圧ＶＳ２（＞Ｖth1）になり、第２変換回路５０が有するオペアンプ５５の出力電圧Ｖ２は、調光レベルの設定値をＬ１（％）とするような電圧値になる。図４Ｂの例では、調光信号Ｓ２の電圧レベルと閾値Ｖth1との大小に応じて調光レベルの設定値が変化するが、閾値Ｖth1にヒステリシスを設けてもよい。
【００３３】
下限設定回路６０は、分圧用の抵抗器６１及び６２と、オペアンプ６３と、ダイオード６４とを備えている。電源回路２８から抵抗器６１及び６２の直列回路に一定の直流電圧Ｖccが印加されており、直流電圧Ｖccを抵抗器６１及び６２の直列回路で分圧した分圧電圧の電圧値Ｖminがオペアンプ６３の非反転入力端子に入力される。オペアンプ６３の出力端子にはダイオード６４のアノードが接続され、オペアンプ６３の反転入力端子はダイオード６４のカソードに接続されている。ダイオード６４のカソードは、信号選択回路２５の出力端Ｐ１に接続されている。ダイオード６４は、オペアンプ６３の出力端子と出力端Ｐ１との間に、オペアンプ６３の出力端子から出力端Ｐ１に電流を流す向きに接続されている。したがって、下限設定回路６０によって出力端Ｐ１の電圧の下限値が電圧値Ｖminに維持され、信号選択回路２５から出力される調光信号Ｓ３の下限値は電圧値Ｖminに制限される。
【００３４】
また、信号選択回路２５の出力端Ｐ１にはツェナーダイオード７０のカソードが接続され、ツェナーダイオード７０のアノードは信号選択回路２５のグランドに接続されている。第１変換回路４０又は第２変換回路５０の出力電圧がツェナーダイオード７０のツェナー電圧ＶＺ１を上回ると、ツェナーダイオード７０によって出力端Ｐ１の電圧がツェナー電圧ＶＺ１に維持される。すなわち、信号選択回路２５から出力される調光信号Ｓ３の上限値はツェナー電圧ＶＺ１に制限される。
【００３５】
したがって、第１変換回路４０の出力電圧Ｖ１が電圧値Ｖminよりも低下すると、ダイオード６４が導通し、下限設定回路６０によって出力端Ｐ１の電圧が電圧値Ｖminに維持される。第１変換回路４０の出力電圧Ｖ１又は第２変換回路５０が有するオペアンプ５５の出力電圧Ｖ２がツェナー電圧ＶＺ１を上回ると、ツェナーダイオード７０によって出力端Ｐ１の電圧がツェナー電圧ＶＺ１に維持される。出力電圧Ｖ１及びＶ２が共に電圧値Ｖmin以上で、かつ、出力電圧Ｖ１及びＶ２が共にツェナー電圧ＶＺ１以下であれば、信号選択回路２５から出力される調光信号Ｓ３の電圧値は、出力電圧Ｖ１と出力電圧Ｖ２とのうち電圧値がより小さい電圧値となる。
【００３６】
制御回路２４は、ＰＷＭ変調回路２６と、ドライブ回路２７とを備える。
【００３７】
ＰＷＭ変調回路２６は、例えばＲＯＭなどに記憶されたプログラムを実行することによって、スイッチング素子２１のＰＷＭ制御を行うマイクロコンピュータからなる。ＰＷＭ変調回路２６は、信号選択回路２５から入力される調光信号Ｓ３に応じて、デューティ比が変化するようなＰＷＭ信号Ｓ４を生成してドライブ回路２７に出力する。
【００３８】
ドライブ回路２７の出力端子は抵抗器２２を介してスイッチング素子２１のゲートに接続されている。ドライブ回路２７は、制御回路２４から入力されるＰＷＭ信号Ｓ４の信号レベルに応じてスイッチング素子２１をスイッチングする。例えばＰＷＭ信号Ｓ４の信号レベルがハイレベルであれば、ドライブ回路２７はスイッチング素子２１をオン状態とし、ＰＷＭ信号Ｓ４の信号レベルがローレベルであれば、ドライブ回路２７はスイッチング素子２１をオフ状態とする。
【００３９】
電源回路２８は、直流電源１から入力される直流電圧の電圧値（例えばＤＣ２４Ｖ）を所定の電圧値（例えばＤＣ１２Ｖ）に変換して、制御回路２４及び信号選択回路２５などに供給する。
【００４０】
（１．２）動作説明
次に、照明システムの動作について説明する。
【００４１】
（１．２．１）信号選択回路２５の動作
信号入力端子２３０に調光器４から調光信号Ｓ１が入力され、信号入力端子２４０にリレー５から調光信号Ｓ２が入力されている場合の信号選択回路２５の動作について図５Ａ及び図５Ｂを参照して説明する。
【００４２】
時間ｔ０から時間ｔ２までの間、リレー５はオンになって調光信号Ｓ２の電圧値はＶＳ１になり、調光信号Ｓ２の表す調光レベルは１００（％）になっている。時間ｔ２以降では、リレー５はオフになって調光信号Ｓ２の電圧値はＶＳ２になり、調光信号Ｓ２の表す調光レベルはＬ１（％）になっている。
【００４３】
一方、調光信号Ｓ１のデューティ比は時間ｔ０では１００（％）であり、時間ｔ０から時間ｔ３にかけて時間の経過に応じてデューティ比が徐々に減少し、時間ｔ３で０（％）になる。したがって、調光信号Ｓ１の表す調光レベルは、時間ｔ０ではＬmin（％）であり、時間ｔ０から時間ｔ３にかけてＬmin（％）から１００（％）に徐々に増加する。
【００４４】
ここで、時間ｔ０から時間ｔ２までの間では、調光信号Ｓ１の調光レベルに比べて調光信号Ｓ２の調光レベルの方が小さいので、信号選択回路２５は、調光レベルがより小さい調光信号Ｓ１を選択し、調光信号Ｓ１に応じた信号を出力する。信号選択回路２５では、第１変換回路４０の出力電圧Ｖ１の電圧値が、第２変換回路５０の出力電圧Ｖ２の電圧値よりも高いため、信号選択回路２５の出力端Ｐ１の電圧値は第１変換回路４０の出力電圧Ｖ１の電圧値となる。したがって、信号選択回路２５は、調光信号Ｓ１に応じて設定した調光信号Ｓ３をＰＷＭ変調回路２６に出力する。なお、時間ｔ０から時間ｔ１までの間は、第１変換回路４０の出力電圧Ｖ１の電圧値が、下限設定回路６０の電圧値Ｖminを下回っているので、調光信号Ｓ３は調光出力の下限値Ｌminに応じた電圧値に設定される。時間ｔ１から時間ｔ２までの間では、第１変換回路４０の出力電圧Ｖ１の電圧値が、下限設定回路６０の電圧値Ｖminを上回っているので、調光信号Ｓ３は第１変換回路４０の出力電圧Ｖ１に応じた電圧値に設定される。
【００４５】
その後、時間ｔ２においてリレー５がオフになると、時間ｔ２以降は、調光信号Ｓ１の示す調光レベルに比べて調光信号Ｓ２の示す調光レベルの方が大きくなるため、信号選択回路２５は、調光信号Ｓ２を選択し、調光信号Ｓ２に応じた信号を出力する。信号選択回路２５では、第２変換回路５０の出力電圧の電圧値が、第１変換回路４０の出力電圧Ｖ１の電圧値よりも高いため、信号選択回路２５の出力端Ｐ１の電圧値は第２変換回路５０の出力電圧Ｖ２の電圧値となる。よって、信号選択回路２５から出力される調光信号Ｓ３は、調光信号Ｓ２に応じた電圧値に設定される。
【００４６】
このように、信号選択回路２５に２つの調光信号Ｓ１及びＳ２が入力されている場合、信号選択回路２５は、調光信号Ｓ１及びＳ２から調光レベルがより小さい調光信号を選択するように動作する。
【００４７】
なお、本実施形態では信号選択回路２５に２つの調光信号Ｓ１及びＳ２が入力されているが、調光信号Ｓ１及びＳ２の一方のみが信号選択回路２５に入力されてもよい。
【００４８】
例えば、信号入力端子２３０に調光信号Ｓ１が入力され、信号入力端子２４０にはリレー５が接続されず、信号入力端子２４０に調光信号Ｓ２が入力されていない場合の信号選択回路２５の動作を説明する。信号入力端子２４０に調光信号Ｓ２が入力されていない場合、信号入力端子２４０の電圧レベルは閾値Ｖth1未満になり、第２変換回路５０が有するオペアンプ５５の出力電圧Ｖ２は、調光レベルの設定値を１００％とするような電圧値になる。したがって、信号選択回路２５は、調光レベルがより小さい調光信号Ｓ１を選択し、調光信号Ｓ１に応じた電圧値の調光信号Ｓ３を出力する。
【００４９】
また、信号入力端子２４０に調光信号Ｓ２が入力され、信号入力端子２３０には調光器４が接続されず、信号入力端子２３０に調光信号Ｓ１が入力されていない場合の信号選択回路２５の動作を説明する。信号入力端子２３０に調光信号Ｓ１が入力されていない場合は、調光信号Ｓ１のデューティ比が０％の場合と等価であり、第１変換回路４０の出力電圧Ｖ１は調光レベルを１００％とするような電圧値となる。したがって、信号選択回路２５は、調光レベルがより小さい調光信号Ｓ２を選択し、調光信号Ｓ２に応じた電圧値の調光信号Ｓ３を出力する。
【００５０】
（１．２．２）制御回路２４の動作
制御回路２４のＰＷＭ変調回路２６に、信号選択回路２５から調光信号Ｓ３が入力されると、ＰＷＭ変調回路２６は、調光信号Ｓ３の電圧レベルに応じたデューティ比のＰＷＭ信号Ｓ４を生成する。
【００５１】
信号選択回路２５からＰＷＭ変調回路２６に調光出力に応じた電圧値の調光信号Ｓ３が入力された場合、ＰＷＭ変調回路２６は、調光信号Ｓ３の電圧値に応じたデューティ比のＰＷＭ信号Ｓ４を生成し、このＰＷＭ信号Ｓ４をドライブ回路２７に出力する。
【００５２】
ドライブ回路２７は、ＰＷＭ変調回路２６から入力されるＰＷＭ信号Ｓ４に応じてスイッチング素子２１をスイッチングすることで、直流電源１から出力される直流電圧を、当該直流電圧の電圧値と振幅値が等しい矩形波電圧に変換し、光源回路３に印加する。例えば、ドライブ回路２７は、制御回路２４から入力されるＰＷＭ信号の信号レベルがハイの期間ではスイッチング素子２１をオン状態にし、ＰＷＭ信号の信号レベルがローの期間ではスイッチング素子２１をオフ状態にする。
【００５３】
ドライブ回路２７がスイッチング素子２１をオンにすると、直流電源１から調光制御装置２を介して光源回路３に直流電圧が印加され、発光ダイオード３１１〜３１７が点灯する。ここで、スイッチング素子２１がオンになると、直流電源１から抵抗器２９とダイオード３３と抵抗器３２３及び３２４とを介してトランジスタ３２２のベースに電圧が印加され、トランジスタ３２２がオンになる。トランジスタ３２２がオンになると、発光ダイオード３１１〜３１７に電流が流れ、発光ダイオード３１１〜３１７が点灯する。発光ダイオード３１１〜３１７に電流が流れると、抵抗器３２５及び３２６の両端間に電圧が発生し、この電圧がトランジスタ３２１のスレッショルド電圧を超えると、トランジスタ３２１がオンになる。トランジスタ３２１がオンになると、トランジスタ３２２のベース電圧がスレッショルド電圧を下回って、トランジスタ３２２がオフになり、発光ダイオード３１１〜３１７が消灯する。トランジスタ３２２がオフになると、トランジスタ３２１もオフになるので、再び、直流電源１から抵抗器２９とダイオード３３と抵抗器３２３及び３２４とを介してトランジスタ３２２のベースに電圧が印加され、トランジスタ３２２がオンになる。以上の動作を繰り返すことによって、発光ダイオード３１１〜３１７に流れる電流が一定に制御される。
【００５４】
一方、ドライブ回路２７がスイッチング素子２１をオフにすると、光源回路３に電流が流れなくなって、発光ダイオード３１１〜３１７は消灯する。
【００５５】
これにより、調光制御装置２から光源回路３に矩形波電圧が印加され、光源回路３が間欠的に発光することによって、光源回路３が調光信号Ｓ３に応じた調光レベルで点灯する。ここにおいて、ＰＷＭ変調回路２６が生成するＰＷＭ信号Ｓ４の周波数は５００Ｈｚ以上とするのが好ましく、発光ダイオード３１１〜３１７が点灯する期間と、発光ダイオード３１１〜３１７が消灯する期間とが２ミリ秒以下の周期で交互に繰り返す。その結果、発光ダイオード３１１〜３１７が明滅する周期が２ミリ秒以下になるから、人の目には発光ダイオード３１１〜３１７の点滅が認識されず、発光ダイオード３１１〜３１７が連続的に点灯しているように見える。
【００５６】
なお、信号選択回路２５からＰＷＭ変調回路２６に調光レベルの設定値を１００％とするような調光信号Ｓ３が入力された場合、ＰＷＭ変調回路２６は、スイッチング素子２１を常時オンにする駆動信号をドライブ回路２７に出力すればよい。ドライブ回路２７は、制御回路２４から入力される駆動信号に応じて、スイッチング素子２１を常時オンにすることで、光源回路３の調光レベルを最大にする。
【００５７】
本実施形態の調光制御装置２では、スイッチング素子２１は、直流電源１の直流電圧を光源回路３に供給するか否かを切り替えるスイッチとして動作しているだけなので、チョッパ回路に比べてスイッチングロスが少なくなり、効率が向上する。また、直流電源１の直流電圧は、光源回路３を点灯可能な程度の電圧値（例えばＤＣ２４Ｖ）に設定されている。したがって、昇圧チョッパで昇圧した電圧を降圧チョッパで降圧して光源回路３に供給する場合に比べて、スイッチング素子２１などの回路部品に耐電圧の低い小型の部品を使用できるから、調光制御装置２の小型化を図ることができる。
【００５８】
（１．３）調光制御装置の構造の説明
図６は調光制御装置２の外観斜視図、図７は調光制御装置２の分解斜視図である。調光制御装置２は金属製のケース２００を備えている。ケース２００は、長手方向から見た形状がＵ型となる金属製のベース板２０１と、ベース板２０１に取付けられる金属製のカバー２０２とを有している。ベース板２０１には、図１に示す回路が形成された回路基板２５０が取付けられている。回路基板２５０の長手方向における一端側には、信号入力端子２３０となる速結端子構造の端子台２５１と、信号入力端子２４０となる速結端子構造の端子台２５２とが、短手方向に並べて実装されている（図７及び図８参照）。回路基板２５０の長手方向における他端側には、電源接続端子２１０となる速結端子構造の端子台２５３と、光源接続端子２２０となる速結端子構造の端子台２５４とが、短手方向に並べて実装されている。ここで、カバー２０２は回路基板２５０の長手方向における中間部を覆っており、回路基板２５０において、端子台２５１及び２５２が実装された一方の端部と、端子台２５３及び２５４が実装された他方の端部とは、それぞれカバー２０２の外側に露出している。なお、信号入力端子２３０となる端子台２５１と、信号入力端子２４０となる端子台２５２とは別個の端子台であるが、信号入力端子２３０と信号入力端子２４０とが１つの端子台で構成されてもよい。
【００５９】
また、回路基板２５０には、電源接続端子２１０となる端子台２５３に近い位置に、抵抗器２９を構成する３個のリードタイプの抵抗器２９１が実装されている。３個の抵抗器２９１は例えば並列接続されている。回路基板２５０には、３個の抵抗器２９１の周りを囲むように、円筒状の絶縁スリーブ２５５が取付けられている。ベース板２０１の内側面には、絶縁性を有する合成樹脂によりシート状に形成された絶縁シート２０３が取付けられている。また、回路基板２５０の上側には、回路基板２５０に実装された端子台２５１〜２５４以外の回路部品を保護する保護カバー２０４が取付けられている。保護カバー２０４は絶縁性を有する合成樹脂で形成されている。
【００６０】
本実施形態の調光制御装置２では、電源接続端子２１０及び光源接続端子２２０が専用のコネクタではなく、速結端子構造の端子台で構成されているため、電源接続端子２１０及び光源接続端子２２０に交流電源１００の電源線が誤って接続される可能性がある。本実施形態では電源接続端子２１０と光源接続端子２２０との間に抵抗器２９が接続されており、電源接続端子２１０又は光源接続端子２２０に交流電源１００の電源線が誤接続された場合、抵抗器２９１が溶断するなどして回路を遮断することで、他の回路部品を保護している。リード端子を有する抵抗器２９１はチップ実装タイプの抵抗器に比べて端子間距離が長いため、抵抗器２９１が溶断した場合に、抵抗器２９１の両端が電気的に接続される端子間でアーク放電が持続しにくくなり、回路を確実に保護できる。なお、抵抗器２９１の端子間距離とは、抵抗器２９１の両側のリード端子がそれぞれ回路基板２５０に実装される部位の間隔を意味し、この端子間距離が５ｍｍ以上であることが好ましい。また、回路基板２５０には、抵抗器２９１の周りを囲むように絶縁スリーブ２５５が設けられているので、抵抗器２９１の溶断時などに抵抗器２９１の一部が絶縁スリーブ２５５の外側に飛散しにくくなる。このように、本実施形態の調光制御装置２は、ヒューズに比べて小型で安価なリードタイプの抵抗器２９１をヒューズの代わりに備えているので、調光制御装置２の小型化及び低コスト化を実現できる。なお、抵抗器２９は、電源接続端子２１０の接続端子２１１と、光源接続端子２２０の接続端子２２１との間に電気的に接続されているが、接続端子２１２と接続端子２２２との間に電気的に接続されてもよい。
【００６１】
以上説明したように、本実施形態の調光制御装置２は、スイッチング素子２１と、複数の信号入力端子（本実施形態では２つの信号入力端子２３０及び２４０）と、信号選択回路２５と、制御回路２４とを備える。スイッチング素子２１は、半導体発光素子（本実施形態では発光ダイオード３１１〜３１７）を有する光源回路３と直流電源１との間に電気的に接続されている。複数の信号入力端子は、光源回路３の調光レベルを設定する複数種類の調光信号にそれぞれ対応して設けられている。信号選択回路２５は、複数の信号入力端子に入力された２以上の調光信号から調光制御に使用する調光信号を選択する。制御回路２４は、信号選択回路２５が選択した調光信号の調光レベルに応じたデューティ比でスイッチング素子２１をスイッチングすることによって、直流電源１から出力される直流電圧を矩形波電圧に変換して光源回路３に出力する。調光信号は、当該調光信号の大きさが最小の場合に光源回路３の調光レベルを最大に設定するような信号であって、信号選択回路２５は、２以上の調光信号から調光レベルがより小さい調光信号を選択するように構成されている。
【００６２】
このように、信号選択回路２５に２以上の調光信号が入力された場合、信号選択回路２５は、２以上の調光信号から調光レベルがより小さい調光信号を選択し、選択した調光信号に基いて光源回路３を調光しているので、複数種類の調光信号に対応できる。なお、本実施形態では、信号入力端子が２つ設けられ、信号選択回路２５に２つの調光信号が入力されているが、３つ以上の信号入力端子が設けられ、信号選択回路２５に３つ以上の調光信号が入力されてもよい。また、信号入力端子は、電線などを接続するための部品（端子）でもよいが、例えば電子部品のリードや、回路基板に配線として形成された導電体の一部でもよい。
【００６３】
また、本実施形態の照明システムは、調光制御装置２と、半導体発光素子（本実施形態では発光ダイオード３１１〜３１７）を有する光源回路３と、を備えたことを特徴とする。
【００６４】
これにより、複数種類の調光信号に対応できる照明システムを提供することができる。
【００６５】
（実施形態２）
以下、実施形態２に係る調光制御装置及び照明システムを図９〜図１１に基づいて説明する。
【００６６】
本実施形態の調光制御装置２及び照明システムは、信号選択回路２５を除いては実施形態１で説明した調光制御装置２及び照明システムと同様であるから、共通の構成要素には同一の符号を付して、その説明は省略する。
【００６７】
信号選択回路２５は、図９に示すように、第１変換回路４０と、第２変換回路８０と、下限設定回路６０と、上限設定用のツェナーダイオード７０とを備えている。第１変換回路４０と下限設定回路６０とツェナーダイオード７０とは実施形態１と同様の構成を有しているので、その説明は省略する。なお、図９に示す信号選択回路２５の回路構成は一例であり、信号選択回路２５は図９の回路構成に限定されない。
【００６８】
信号選択回路２５の信号入力端子２３０には例えば調光器４が接続され、信号入力端子２４０には例えばリレー５が接続される。信号入力端子２３０には調光器４から調光レベルに応じたデューティ比のＰＷＭ信号（調光信号Ｓ１）が入力される。信号入力端子２４０には、リレー５のオン／オフに応じて電圧レベルが２段階に切り替わる電圧信号（調光信号Ｓ２）が入力される。本実施形態の調光信号Ｓ１は、調光信号Ｓ１のデューティ比（大きさ）が最大の場合に光源回路３の調光レベルを最大に設定するような信号である。また、本実施形態の調光信号Ｓ２は、調光信号Ｓ２の電圧レベル（大きさ）が最大の場合に光源回路３の調光レベルを最大に設定するような信号である。
【００６９】
ここにおいて、調光信号Ｓ１は、光源回路３の調光レベルの設定値に応じたデューティ比のＰＷＭ信号であり、デューティ比が最大の場合に調光レベルの設定値を最大にするような信号となる。図１０Ａは調光信号Ｓ１のデューティ比と調光レベル（調光出力）の設定値との関係を示すグラフであり、調光信号Ｓ１のデューティ比に比例して調光レベルの設定値が増加する。したがって、調光信号Ｓ１のデューティ比が大きくなるにつれて、調光レベルの設定値が増加し、光源回路３の光出力が増加する。図１０Ａの例では、調光信号Ｓ１のデューティ比に対して調光レベルの設定値が線形に変化しているが、デューティ比が大きくなるにつれて調光レベルの設定値が増加するのであれば、調光信号Ｓ１のデューティ比に対して調光レベルの設定値が非線形に変化してもよい。
【００７０】
第２変換回路８０は、例えばｎｐｎ型のトランジスタ８１と、ｐｎｐ型のトランジスタ８２と、抵抗器８３〜８６と、オペアンプ８７と、ダイオード８８とを備えている。オペアンプ８７の非反転入力端子は、分圧回路を構成する抵抗器８５及び８６の接続点に接続されている。抵抗器８５及び８６からなる分圧回路の高圧側の端子はトランジスタ８２のコレクタに接続され、トランジスタ８２のエミッタには電源回路２８から一定の直流電圧Ｖccが印加されている。抵抗器８５及び８６からなる分圧回路の低圧側の端子は信号選択回路２５のグランドに接続されている。また、トランジスタ８２のベースは抵抗器８４を介してトランジスタ８１のコレクタに接続され、トランジスタ８１のエミッタは信号選択回路２５のグランドに接続されている。トランジスタ８１のベースは抵抗器８３を介して信号入力端子２４０に接続されている。オペアンプ８７の出力端子にはダイオード８８のアノードが接続され、オペアンプ８７の反転入力端子はダイオード８８のカソードに接続されている。ダイオード８８のカソードは、信号選択回路２５の出力端Ｐ１に接続されている。ダイオード８８は、オペアンプ８７の出力端子と出力端Ｐ１との間に、オペアンプ８７の出力端子から出力端Ｐ１に電流を流す向きに接続されている。したがって、第１変換回路４０の出力電圧Ｖ１の電圧値が、オペアンプ８７の出力電圧Ｖ２の電圧値以下になると、出力端Ｐ１の電圧値をオペアンプ８７の出力電圧Ｖ２の電圧値にクランプするように第２変換回路８０は動作する。
【００７１】
信号入力端子２４０に入力される調光信号Ｓ２は、リレー５のオン／オフに応じて電圧レベルが２段階に切り替わるような電圧信号であり、電圧レベルが最大の場合に光源回路３の調光レベルの設定値を最大にするような信号となる。図１０Ｂは調光信号Ｓ２の電圧レベルと調光レベルとの関係を示すグラフである。調光信号Ｓ２の電圧レベルが閾値Ｖth1未満であれば調光レベルの設定値は０（％）となり、調光信号Ｓ２の電圧レベルが閾値Ｖth1以上であれば調光レベルの設定値はＬ１（％）となる。本実施形態では、リレー５がオンになると、調光信号Ｓ２の電圧レベルが電圧ＶＳ１（＜Ｖth1）になり、第２変換回路８０が有するオペアンプ８７の出力電圧Ｖ２は、調光レベルの設定値を０％とするような電圧値になる。また、リレー５がオフになると、調光信号Ｓ２の電圧レベルが電圧ＶＳ２（＞Ｖth1）になり、第２変換回路８０が有するオペアンプ８７の出力電圧Ｖ２は、調光レベルの設定値をＬ１（％）とするような電圧値になる。図１０Ｂの例では、調光信号Ｓ２の電圧レベルと閾値Ｖth1との大小に応じて調光レベルの設定値が変化するが、閾値Ｖth1にヒステリシスを設けてもよい。
【００７２】
次に、照明システムの動作について説明する。なお、制御回路２４の制御動作は実施形態１で説明した制御動作と同様であるので、実施形態２の特徴部分である信号選択回路２５の動作について以下に説明する。
【００７３】
信号入力端子２３０に調光器４から調光信号Ｓ１が入力され、信号入力端子２４０にリレー５から調光信号Ｓ２が入力されている場合の信号選択回路２５の動作について図１１Ａ及び図１１Ｂを参照して説明する。
【００７４】
時間ｔ１０から時間ｔ１２までの間、リレー５はオンになって調光信号Ｓ２の電圧値はＶＳ１になり、調光信号Ｓ２の表す調光レベルは０（％）になる。時間ｔ１２以降では、リレー５はオフになって調光信号Ｓ２の電圧値はＶＳ２になり、調光信号Ｓ２の表す調光レベルはＬ１（％）になる。
【００７５】
また、調光信号Ｓ１のデューティ比は時間ｔ１０では１００（％）であり、時間ｔ１０から時間ｔ１３にかけて時間の経過に応じてデューティ比が徐々に減少し、時間ｔ１３で０（％）になる。したがって、調光信号Ｓ１の表す調光レベルは、時間ｔ１０では１００（％）であり、時間ｔ１１から時間ｔ１３にかけて１００（％）からＬmin（％）に徐々に低下する。
【００７６】
ここで、時間ｔ１０から時間ｔ１２までの間では、調光信号Ｓ１の表す調光レベルに比べて調光信号Ｓ２の表す調光レベルの方が大きいので、信号選択回路２５は、調光信号Ｓ１を選択し、調光信号Ｓ１に応じた信号を出力する。信号選択回路２５では、第１変換回路４０の出力電圧Ｖ１の電圧値が、第２変換回路８０の出力電圧Ｖ２の電圧値よりも高いため、信号選択回路２５の出力端Ｐ１の電圧値は第１変換回路４０の出力電圧Ｖ１の電圧値となる。したがって、信号選択回路２５は、調光信号Ｓ１に応じて設定した調光信号Ｓ３をＰＷＭ変調回路２６に出力する。なお、時間ｔ１０から時間ｔ１１までの間は、第１変換回路４０の出力電圧Ｖ１の電圧値が、ツェナーダイオード７０のツェナー電圧ＶＺ１を上回っているので、調光信号Ｓ３は調光レベルの上限値（１００％）に応じた電圧値に設定される。時間ｔ１から時間ｔ２までの間では、第１変換回路４０の出力電圧Ｖ１の電圧値が、ツェナー電圧ＶＺ１を下回っているので、調光信号Ｓ３は第１変換回路４０の出力電圧Ｖ１に応じた電圧値に設定される。
【００７７】
一方、時間ｔ２においてリレー５がオフになると、時間ｔ２以降は、調光信号Ｓ２の表す調光レベルに比べて調光信号Ｓ１の表す調光レベルの方が小さくなるため、信号選択回路２５は、調光信号Ｓ２を選択し、調光信号Ｓ２に応じた信号を出力する。信号選択回路２５では、第２変換回路５０の出力電圧Ｖ２の電圧値が、第１変換回路４０の出力電圧Ｖ１の電圧値よりも高いため、信号選択回路２５の出力端Ｐ１の電圧値は第２変換回路５０の出力電圧Ｖ２の電圧値となる。よって、信号選択回路２５から出力される調光信号Ｓ３は、調光信号Ｓ２に応じた電圧値に設定される。
【００７８】
このように、信号選択回路２５に調光信号Ｓ１及びＳ２が入力されている場合、信号選択回路２５は、調光信号Ｓ１及びＳ２から調光レベルがより大きい調光信号を選択するように構成される。
【００７９】
なお、本実施形態では信号選択回路２５に２つの調光信号Ｓ１及びＳ２が入力されているが、調光信号Ｓ１及びＳ２の一方のみが信号選択回路２５に入力されてもよい。
【００８０】
例えば、信号入力端子２３０に調光信号Ｓ１が入力され、信号入力端子２４０にはリレー５が接続されず、信号入力端子２４０に調光信号Ｓ２が入力されていない場合の信号選択回路２５の動作を説明する。信号入力端子２４０に調光信号Ｓ２が入力されていない場合、信号入力端子２４０の電圧レベルは閾値Ｖth1未満になり、第２変換回路５０が有するオペアンプ８７の出力電圧Ｖ２は、調光レベルの設定値を０％とするような電圧値になる。したがって、信号選択回路２５は、調光レベルがより大きい調光信号Ｓ１を選択し、調光信号Ｓ１に応じた電圧値の調光信号Ｓ３を出力する。
【００８１】
また、信号入力端子２４０に調光信号Ｓ２が入力され、信号入力端子２３０には調光器４が接続されず、信号入力端子２３０に調光信号Ｓ１が入力されていない場合の信号選択回路２５の動作を説明する。信号入力端子２３０に調光信号Ｓ１が入力されていない場合は、調光信号Ｓ１のデューティ比が０％の場合と等価であり、第１変換回路４０の出力電圧Ｖ１は調光レベルを最小とするような電圧値（実際には下限設定回路６０があるため下限値Ｌminに対応した電圧値）となる。したがって、信号選択回路２５は、調光レベルがより大きい調光信号Ｓ２を選択し、調光信号Ｓ２に応じた電圧値の調光信号Ｓ３を出力する。
【００８２】
以上説明したように、本実施形態の調光制御装置２は、スイッチング素子２１と、複数の信号入力端子（本実施形態では２つの信号入力端子２３０及び２４０）と、信号選択回路２５と、制御回路２４とを備える。スイッチング素子２１は、半導体発光素子（本実施形態では発光ダイオード３１１〜３１７）を有する光源回路３と直流電源１との間に電気的に接続されている。複数の信号入力端子は、光源回路３の調光レベルを設定する複数種類の調光信号にそれぞれ対応して設けられている。信号選択回路２５は、複数の信号入力端子に入力された２以上の調光信号から調光制御に使用する調光信号を選択する。制御回路２４は、信号選択回路２５が選択した調光信号の調光レベルに応じたデューティ比でスイッチング素子２１をスイッチングすることによって、直流電源１から出力される直流電圧を矩形波電圧に変換して光源回路３に出力する。調光信号は、当該調光信号の大きさが最大の場合に光源回路３の調光レベルを最大に設定するような信号であって、信号選択回路２５は、２以上の調光信号から調光レベルがより大きい調光信号を選択するように構成されている。
【００８３】
このように、信号選択回路２５に２以上の調光信号が入力された場合、信号選択回路２５は、２以上の調光信号から調光レベルがより大きい調光信号を選択し、選択した調光信号に基いて光源回路を調光しているので、複数種類の調光信号に対応できる。なお、本実施形態では、信号入力端子が２つ設けられ、信号選択回路２５に２つの調光信号が入力されているが、３つ以上の信号入力端子が設けられ、信号選択回路２５に３つ以上の調光信号が入力されてもよい。
【００８４】
ところで、実施形態１、２の調光制御装置２において、スイッチング素子２１は、光源回路３と、半導体発光素子（発光ダイオード３１１〜３１７）を点灯可能な電圧値の直流電圧を出力するように構成された直流電源１との間に電気的に接続されてもよい。
【００８５】
制御回路２４がスイッチング素子２１をスイッチングすることによって、直流電源１から出力される直流電圧が、当該直流電圧の電圧値と振幅値が同じ矩形波電圧に変換されて、この矩形波電圧が光源回路３に印加される。スイッチング素子２１は、直流電源１から光源回路３に直流電圧を供給するか否かを切り替えるスイッチとして動作しているだけなので、チョッパ回路に比べてスイッチングロスが少なくなり、効率が向上する。
【００８６】
また、実施形態１、２の調光制御装置２は、スイッチング素子２１と複数の信号入力端子（本実施形態では２つの信号入力端子２３０及び２４０）と信号選択回路２５と制御回路２４とが実装されている回路基板２５０を、更に備えてもよい。そして、複数の信号入力端子は回路基板２５０の端部に配置されていてもよい。
【００８７】
これにより、複数の信号入力端子は回路基板２５０の端部に配置されているから、複数の信号入力端子が回路基板２５０の中央に配置されている場合に比べて、電線を接続する作業がやりやすくなる。
【００８８】
また、実施形態１、２の調光制御装置２において、複数種類の調光信号の少なくとも１つは、光源回路３の調光レベルに応じて大きさが連続的に変化するような信号であることも好ましく、光源回路３の調光レベルを連続的に調整することができる。
【００８９】
（実施形態３）
実施形態１及び実施形態２で説明した調光制御装置２及び光源回路３は空間照明用の照明器具に適用できるのはもちろんのこと、照明用の光源回路を備えた設備機器にも適用が可能である。このような設備機器としては、商品を照明するための光源回路を備えた冷蔵ショーケースや、商品又は商品見本を照明するための光源回路を備えた自動販売機などがある。
【００９０】
図１２Ａは冷蔵ショーケース９０Ａの外観斜視図である。冷蔵ショーケース９０Ａは、例えばコンビニエンスストアのような小売店舗に設置され、商品を冷却又は加熱しながら陳列販売するために用いられる。冷蔵ショーケース９０Ａの本体９１は前面が開口した陳列室９２を備えている。陳列室９２には、商品を陳列するための陳列棚９３が複数段（図示例では３段）設けられている。本体９１には、陳列室９２の天井部分に光源回路３が設置されており、本体９１の内部には直流電源１と調光制御装置２とが取り付けられている。光源回路３は調光制御装置２によって調光制御され、光源回路３の発光で陳列棚９３に陳列された商品が照明される。
【００９１】
図１２Ｂは自動販売機９０Ｂの外観斜視図である。自動販売機９０Ｂの本体９４の内部には商品見本９６を展示するための展示室９５が設けられ、本体９４の前面に設けられた透明な窓部９７を通して展示室９５の内部を視認できるようになっている。そして、本体９４の内部には、例えば展示室９５の上側に光源回路３が配置されている。また、本体９４の内部には直流電源１と調光制御装置２とが配置されている。光源回路３は調光制御装置２によって調光制御され、光源回路３の発光で展示室９５に置かれた商品見本９６が照明されるようになっている。
【００９２】
上述のように本実施形態の設備機器（冷蔵ショーケース９０Ａ、自動販売機９０Ｂ）は、光源回路３と、調光制御装置２と、設備機器本体（本体９１，９４）とを備えている。光源回路３は、半導体発光光源（本実施形態では発光ダイオード３１１〜３１７）を有する。調光制御装置２は光源回路３を調光制御する。設備機器本体は光源回路３及び調光制御装置２を保持する。
【００９３】
これにより、複数種類の調光信号に対応できる設備機器を提供することができる。
【００９４】
なお、上述の各実施形態で説明した構成は本発明の一例に過ぎない。本発明は、上記の実施形態に限定されず、本発明に係る技術的思想を逸脱しない範囲であれば、設計等に応じて種々の変更が可能である。
【符号の説明】
【００９５】
１  直流電源
２  調光制御装置
３  光源回路
２１  スイッチング素子
２４  制御回路
２５  信号選択回路
９０Ａ  冷蔵ショーケース（設備機器）
９０Ｂ  自動販売機（設備機器）
９１，９４  本体（設備機器本体）
２３０，２４０  信号入力端子
２５０  回路基板
３１１〜３１７  発光ダイオード（半導体発光素子）
【図１】
0006566354.tif 000002
【図２】
0006566354.tif 000003
【図３】
0006566354.tif 000004
【図４】
0006566354.tif 000005
【図５】
0006566354.tif 000006
【図６】
0006566354.tif 000007
【図７】
0006566354.tif 000008
【図８】
0006566354.tif 000009
【図９】
0006566354.tif 000010
【図１０】
0006566354.tif 000011
【図１１】
0006566354.tif 000012
【図１２】
0006566354.tif 000013